(57)【要約】【課題】ディスプレイ面の汚れを確実に防止し、かつ、使い勝手も良好にすることを目的とする。【解決手段】一面をほぼ全面に渡ってディスプレイ面１として使用される第１筐体２と、キー操作面３を備えた第２筐体４を相対位置可変に連結した携帯型端末装置であって、  第１、第２筐体２、４は、ディスプレイ面１とキー操作面３の双方を露出させる展開姿勢に加え、通話可能な通話姿勢への移行が可能であり、  かつ、通話姿勢において、前記ディスプレイ面１の一部または全部がキー操作面３側を向いた姿勢で第２筐体４の背面に移動して該第２筐体４により覆われる。【選択図】  図３
2007243541.tif 000002
【特許請求の範囲】
【請求項１】
一面をほぼ全面に渡ってディスプレイ面として使用される第１筐体と、キー操作面を備えた第２筐体を相対位置可変に連結した携帯型端末装置であって、
第１、第２筐体は、ディスプレイ面とキー操作面の双方を露出させる展開姿勢に加え、通話可能な通話姿勢への移行が可能であり、
かつ、通話姿勢において、前記ディスプレイ面の一部または全部がキー操作面側を向いた姿勢で第２筐体の背面に移動して該第２筐体により覆われる携帯型端末装置。
【請求項２】
前記第１筐体は、第２筐体のキー操作面に向けてディスプレイ面を向けた姿勢で第２筐体の背面にスライド自在に積層される請求項１記載の携帯型端末装置。
【請求項３】
前記第１筐体のディスプレイ面は通話姿勢において第２筐体により全面に渡って覆われ、
かつ、第２筐体には、通話姿勢においてディスプレイ面の一部を表示する窓が開設される請求項１または２記載の携帯型端末装置。
【請求項４】
一面をほぼ全面に渡ってディスプレイ面として使用される第１筐体と、キー操作面を備えた第２筐体を連結した携帯型端末装置であって、
前記第１筐体は、ディスプレイ面が第２筐体により覆われたポジションに移動可能であり、
かつ、第２筐体には、前記ポジションにおいてディスプレイ面の一部を表示する窓が開設される携帯型端末装置。
【請求項５】
通話姿勢において、ディスプレイ面には外部に表示される領域にのみデータ表示される請求項１、２、３または４記載の携帯型端末装置。
【発明の詳細な説明】
【技術分野】
【０００１】
本発明は、携帯型端末装置に関するものである。
【背景技術】
【０００２】
通話中のＬＣＤ表示面の顔への接触を防ぐことによりＬＣＤ表示面の汚れを防止するようにした携帯型端末装置としては、特許文献１に記載のものが知られている。この従来例において、端末装置は、ディスプレイサイド（第１筐体）と、ボタンサイド（第２筐体）とを回転自在に連結して形成される。ディスプレイサイドとボタンサイドとの間には同軸周りに回転自在な保護プレートが装着され、通話時に保護プレートをディスプレイサイド側に回転させることにより顔とディスプレイサイドのＬＣＤ表示面との直接接触を防止し、ＬＣＤ表示面の汚れを防止する。
【特許文献１】特開２００４-２４１８９０号公報
【発明の開示】
【発明が解決しようとする課題】
【０００３】
しかし、上述した従来例において、通話する場合には、まず、保護プレートをボタンサイド側に倒してボタン操作を行った後、さらに保護プレートをディスプレイサイドに倒す必要があるために、使い勝手が悪いという欠点がある。
【０００４】
本発明は、以上の欠点を解消すべくなされたものであって、ディスプレイ面の汚れを確実に防止でき、かつ、使い勝手も良好な携帯型端末装置の提供を目的とする。
【課題を解決するための手段】
【０００５】
端末装置は、ほぼ全面をディスプレイ面１とした第１筐体２と、操作キーを集中配置したキー操作面３を備える第２筐体４とを連結して形成される。第１、第２筐体２、４は一方を他方に対してスライド、あるいは回転させることにより相対姿勢変更可能であり、通話先の指定、あるいは電子メイルの確認、入力等を行うために、第１、第２筐体２、４を展開してディスプレイ面１とキー操作面３の双方を露出させる展開姿勢に加え、通話可能な通話姿勢と、必要ならば不使用時の待ち受け姿勢を取ることができる。
【０００６】
通話姿勢は、第１筐体２、あるいは第２筐体４に配置されるレシーバ６を耳に触れさせ、あるいは耳の近くに位置させた状態での使用を前提とする姿勢であり、当該通話姿勢において、第１筐体２のディスプレイ面１は全面、あるいは一部は第２筐体４の背後に移動して第２筐体４の陰に隠れる。
【０００７】
この結果、ディスプレイ面１全面が隠れた場合は勿論のこと、一部が隠れた場合であっても、露出面積が小さく、かつ、露出するディスプレイ面１は第２筐体４の背後に位置して顔から離れるために、直接顔に触れることが少なくなり、皮脂のディスプレイ面１への付着が防止できる。また、通話姿勢においてディスプレイ面１はキー操作面３側、すなわち、顔を向く姿勢を取るために、通話時にディスプレイ面１が他人に晒されることも防止できる。
【０００８】
通話姿勢においてディスプレイ面１の一部を露出させる場合には、露出部分を通話状態の確認等を行うための補助画面７として利用することができる。この場合、露出範囲は、ディスプレイ面１への皮脂の付着が可及的に少なく、かつ、補助画面７としての機能も十分達成できるように決定され、ディスプレイ面１の半分以下、望ましくは１／４程度とされる。
【発明の効果】
【０００９】
本発明によれば、ディスプレイ面１の汚れを確実に防止できる上に、使い勝手も良好にすることができる。
【発明を実施するための最良の形態】
【００１０】
図１、２に携帯電話として構成された本発明の実施の形態を示す。携帯電話は、表面に複数の操作キー８を配置してキー操作面３が形成される第２筐体４と、表面のほぼ全面に渡ってＬＣＤパネル９を配置してディスプレイ面１とした第１筐体２とを有する。第１筐体２の上端部にはレシーバ６が、下端部にマイク１０が各々キー操作面３側に配置される。
【００１１】
第１、第２筐体２、４は、第１筐体２のディスプレイ面１と第２筐体４のキー操作面３を同一方向に向けた姿勢で第２筐体４が第１筐体２の背後に位置した状態で連結される。図１（ｂ）、（ｄ）に示すように、第１、第２筐体２、４を連結するために、第２筐体４の側壁にはガイド溝４ａが凹設されるとともに、第１筐体２には、ガイド溝４ａに摺動自在に嵌合する突条２ａが設けられる。
【００１２】
これら第１、第２筐体２、４は、図１に示すように、突条２ａがガイド溝４ａの下方ストッパ壁４ｂに当接する待ち受け姿勢と、図２に示すように、突条２ａがガイド溝４ａの上方ストッパ壁４ｃに当接する展開姿勢との間でスライドする。図１に示す待ち受け姿勢において、第１筐体２と第２筐体４とが積層姿勢となって第１筐体２のディスプレイ面１が第２筐体４に覆われ、ディスプレイ面１が保護されるために、この姿勢は、携帯電話不使用時のために設定される。
【００１３】
これに対し、図２に示す展開姿勢において、第１筐体２のディスプレイ面１と第２筐体４のキー操作面３とは全面に渡って利用者に視認可能となるために、この姿勢は、ディスプレイ面１を確認しながらキー操作面３を操作する作業、例えば通話先への発呼操作、あるいは電子メイルの確認等のために設定される。
【００１４】
さらに、携帯電話は、上記待ち受け姿勢と展開姿勢との間の移動途上に設定される通話姿勢を有する。図３に示すように、通話姿勢において、第１筐体２のＬＣＤパネル９の上方一部領域が第２筐体４の上端から露出した状態とされる。この露出領域は、通話者情報等を表示する補助画面７として利用される。
【００１５】
上記展開姿勢、待ち受け姿勢、および通話姿勢の各姿勢で第１、第２筐体２、４を停止させるために、第１、第２筐体２、４の摺動境界には節度停止手段１１が設けられる。図１（ｃ）に示すように、節度停止手段は、第１筐体２に形成される孔２ｂ内に収容されるクリックボール１１ａを有する。このクリックボール１１ａは、孔２ｂ内に収容される圧縮スプリング１１ｂにより第２筐体４側に付勢されており、第２筐体４の背面壁に圧接する。
【００１６】
一方第２筐体４の背面壁には、上記クリックボール１１ａが落ち込む凹部１１ｃが形成される。凹部１１ｃは、第１、第２筐体２、４が展開姿勢、待ち受け姿勢、および通話姿勢にあるときに各々クリックボール１１ａに正対する位置に設けられる。
【００１７】
第１、第２筐体２、４が上記各位置関係に移行すると、クリックボール１１ａは対応する凹部１１ｃに落ち込んで節度感を発生させ、利用者に当該位置関係にあることを知らせる。また、この状態から脱出させるためには、一旦圧縮スプリング１１ｂを圧縮させる必要があるために、姿勢移行に所定の操作力が必要となり、結果、妄りに予期しない位置変更がされることが防止される。
【００１８】
したがってこの実施の形態において、展開姿勢で操作キー８を操作して通話相手を呼び出した後、第１筐体２を下方に押し込むことにより簡単に通話姿勢に姿勢変更することができる。この状態で補助画面７に発呼状態等を表示しておくと、相手の応答結果を通話姿勢のままで確認することができる。
【００１９】
この状態から、図３（ｄ）に示すように、レシーバ６を耳に当てて通話すると、ディスプレイ面１は、補助画面７部分を除いてほぼ全面に渡って第２筐体４の背面に回り込んでいるために、皮脂が付着してディスプレイ面１が汚れることはない。
【００２０】
図４に本発明の他の実施の形態を示す。なお、以下の説明において、上述した実施の形態と実質的に同一の構成要素は、図中に同一符号を付して説明を省略する。
【００２１】
この実施の形態において、第２筐体４の上部には窓５が開設され、この窓５越しに第１筐体２を見ることができる。携帯電話は図４（ａ）、（ｂ）に示す展開姿勢と、図４（ｃ）、（ｄ）に示す待ち受け姿勢の２姿勢をとることができ、待ち受け姿勢が通話姿勢を兼ねる。
【００２２】
したがってこの実施の形態において、携帯電話を通話姿勢に移行させると、窓５越しには第１筐体２のディスプレイ面１を見ることができるために、この領域に所定の情報を表示し、補助画面７として利用することができる。
【００２３】
なお、以上において、第１筐体２のディスプレイ面１は、展開姿勢、あるいは通話姿勢を問わず、使用中には全面が活性状態とされていることを前提として説明したが、通話姿勢時には、補助画面７として使用される領域のみを活性化することができる。
【００２４】
図５はこのように構成する場合の図１の変形例を示すもので、通話姿勢において補助画面７として使用される領域を図５（ａ）においてハッチングを施して示す。
【００２５】
１２は第２筐体４の背面に配置される検知スイッチであり、検知レバー１２ａを備えたマイクロスイッチにより形成される。検知レバー１２ａは、図５（ｂ）に示すように、第２筐体４の背面に干渉物がないときは検知孔１２ｂから突出しており、この状態で検知スイッチ１２は”ＯＦＦ”となる。この状態から第２筐体４の背面に干渉物が位置すると、図５（ｃ）に示すように、検知レバー１２ａは第２筐体４内に押し込まれ、検知スイッチ１２が”ＯＮ”となる。
【００２６】
一方、第１筐体２の正面壁には、図５（ｄ）に示すように、待ち受け姿勢において検知レバー１２ａに正対する凹部１２ｃが形成される。凹部１２ｃは、検知スイッチ１２が”ＯＦＦ”になるまで検知レバー１２ａが第２筐体４から突出するに十分な深さと、大きさに形成される。
【００２７】
したがってこの変形例において、検知スイッチ１２は、待ち受け姿勢と展開姿勢においては”ＯＦＦ”（図５（ｄ）参照）で、通話姿勢のときにのみ”ＯＮ”（図５（ｅ）参照）となる。第２筐体４内の図外の制御部は、検知スイッチ１２の”ＯＮ”への遷移を検出すると、ＬＣＤパネル９の活性エリアを補助画面７対応位置に限定することにより、電力消耗を防ぐ。
【００２８】
ＬＣＤパネル９の活性エリアの限定による省電力化は、例えば、ＬＣＤパネル９の他の領域での輝度低下、バックライト消灯等により行われる。
【図面の簡単な説明】
【００２９】
【図１】本発明を示す図で、（ａ）は正面図、（ｂ）は側面図、（ｃ）は（ａ）の１Ｃ-１Ｃ線断面図、（ｄ）は（ｂ）の１Ｄ-１Ｄ線断面図である。
【図２】展開姿勢を示す図で、（ａ）は正面図、（ｂ）は側面図、（ｃ）は図１（ｃ）に対応する断面図である。
【図３】通話姿勢を示す図で、（ａ）は正面図、（ｂ）は側面図、（ｃ）は図１（ｃ）に対応する断面図、（ｄ）は通話状態を示す説明図である。
【図４】本発明の他の実施の形態を示す図で、（ａ）は正面図、（ｂ）は図１（ｃ）に対応する断面図、（ｃ）は通話姿勢を示す正面図、（ｄ）は（ｃ）の４Ｄ-４Ｄ線断面図である。
【図５】図１の変形例を示す図で、（ａ）は正面図、（ｂ）は検知スイッチを示す拡大図、（ｃ）は検知スイッチの”ＯＮ”状態を示す図、（ｄ）は待ち受け姿勢に対応する（ａ）の５Ｄ線部分断面図、（ｅ）は通話姿勢に対応する（ａ）の５Ｄ線部分断面図である。
【符号の説明】
【００３０】
１        ディスプレイ面
２        第１筐体
３        キー操作面
４        第２筐体
５        窓
【図１】
2007243541.tif 000003
【図２】
2007243541.tif 000004
【図３】
2007243541.tif 000005
【図４】
2007243541.tif 000006
【図５】
2007243541.tif 000007